(57)【要約】【課題】  調湿機能を損なうことなく、表面の段差を目立ちにくくした調湿建築材を提供することである。【解決手段】    矩形状の石膏ボード本体１の表裏面に石膏ボード原紙２を貼着してなる石膏ボード３の周縁部分に実加工して実部４を形成し、該実部４にシーラー加工を施し、化粧シート６を石膏ボード３の表面側から裏面側に至るように貼着し、表面側から化粧シート６を貫通し石膏ボード本体１に至る小孔７を多数設けてなる調湿建築材８である。【選択図】図１
2005179908.tif 000002
【特許請求の範囲】
【請求項１】
矩形状の石膏ボード本体の表裏面に石膏ボード原紙を貼着してなる石膏ボードの周縁部分に実加工して実部を形成し、該実部にシーラー加工を施して化粧シートを石膏ボードの表面側から裏面側に至るように貼着し、表面側から化粧シートを貫通し石膏ボード本体に至る小孔を多数設けてなる調湿建築材。
【請求項２】
実部をあいじゃくり実としたことを特徴とする請求項１記載の調湿建築材。
【請求項３】
化粧シートは石膏ボードの表面全面を被装するように設けられていることを特徴とする請求項１または２に記載の調湿建築材。
【発明の詳細な説明】
【技術分野】
【０００１】
本発明は、戸建住宅や集合住宅、ビルなどの商用建築物の内装に用い、室内の湿度を調節するための調湿建築材に関するものである。
【背景技術】
【０００２】
居住空間の密閉性が高まり、空気清浄など居住空間をより快適にするための方策が各種とられている。その中で、居室の湿度を調整し、不快指数など居住条件を改善することも行われている。
【０００３】
その手段として、空調機などで強制的に湿度条件を改善するほか、建築材に調湿機能を追加し用いることが近年行われてきている。例えば特開２００３−３１３９６６号公報などに示される調湿建築材などである。この調湿建築材は、基材として石膏ボードを主に用いるものである。
【０００４】
一方、これら調湿建築材も下地に当接して施工されるが、この下地は表面が平らであることが望ましいが、実際の施工状態では不陸が生じていることが殆どである。
【０００５】
施工時によく生じる状態図を図４に示す。これは調湿建築材を壁材として用いているもので、断面を上方から見たものである。
【０００６】
この例では、下地１０に当接するように調湿建築材８を固定し、その隣に同じように調湿建築材８を固定している。図では簡略のために２枚のみを示しているが、実際にはさらに連続して固定していくものである。
【０００７】
ここで下地１０の調湿建築材８当接面が不陸状態（１０ａ部分）になっていると、また調湿建築材自体の製造誤差があるため、調湿建築材８は隣のものにきちんと並べることができなくなる。したがって床材などと同様に、実部を周縁部分に形成し、調湿建築材同士の嵌合をうまく納める必要がある。
【０００８】
しかしながらこの調湿建築材は石膏ボードを基材として用いているため、周縁部分に実部を形成すると、実部での石膏ボードの厚さが薄くなり、さらに石膏ボード自体は非常に脆いものであるため、施工時、実使用時などで実部が欠損するおそれが非常に高く、実質上実部を形成することができないものであった。
【０００９】
もちろん石膏ボード自体は表裏面に石膏ボード原紙と呼ばれるものを貼着しているが、実を形成するとその部分が除去され、石膏部分だけとなり、非常に脆くなっている。
【００１０】
そこで例えば実開平７−４３１９９号公報に見られるように、実部を形成するために補強材を設けるものなどの工夫がされていたが、石膏ボードと別部材とを組み合わせるため、製造上作りづらいものであり、また補強材部分では調湿機能が無いため、調湿建築材全体を考えた場合には、その性能を減ずることとなってしまう。
【特許文献１】特開２００３−３１３９６６号公報
【特許文献２】実開平７−４３１９９号公報
【発明の開示】
【発明が解決しようとする課題】
【００１１】
本願発明は、上記背景技術に鑑みて発明されたものであり、その課題は、実部を補強しつつ調湿機能を損なうことなく、表面の段差を目立ちにくくした調湿建築材を提供することである。
【課題を解決するための手段】
【００１２】
上記課題を解決するために、本願発明は、矩形状の石膏ボード本体の表裏面に石膏ボード原紙を貼着してなる石膏ボードの周縁部分に実加工して実部を形成し、該実部にシーラー加工を施して化粧シートを石膏ボードの表面側から裏面側に至るように貼着し、表面側から化粧シートを貫通し石膏ボード本体に至る小孔を多数設けてなる調湿建築材としている。
【発明の効果】
【００１３】
本願発明の調湿建築材においては、請求項１の調湿建築材においては、石膏ボードの周縁部分に実加工して実部を形成し、該実部にシーラー加工を施して化粧シートを石膏ボードの表面側から裏面側に至るように貼着しているので、石膏ボードに実部を形成しながら、化粧シートにより実部の補強を行え、特に別部材の補強材を用いることなく、実部の補強が行うことが可能となる。このため実部を用いて表面側に生じる段差を目立ちにくくすることができる。
【００１４】
また請求項２の調湿建築材においては、実部をあいじゃくり実としたことで、石膏ボード本体が薄くても実部を形成することが可能となる。
【００１５】
また請求項３の調湿建築材においては、化粧シートを石膏ボードの表面全面を覆うことで、調湿建築材全体が統一された意匠性を有することになる。
【発明を実施するための最良の形態】
【００１６】
本願発明の最良の形態を図１から図３に示される以下の実施例にて説明する。なお図１は図２のＡ−Ａ’で示される部分の断面図となっている。
【００１７】
本実施例は、矩形状の石膏ボード本体１の表裏面に石膏ボード原紙２を貼着してなる石膏ボード３の周縁部分に実加工して実部４を形成し、該実部４にシーラー加工を施して化粧シート６を石膏ボード３の表面側から裏面側に至るように貼着し、表面側から化粧シート６を貫通し石膏ボード本体１に至る小孔７を多数設けてなる調湿建築材８である。
また実部４をあいじゃくり実としていて、化粧シート６は石膏ボード３の表面全面を被装するように設けられている。勿論図示はしていないが、化粧シート６は調湿建築材８の実部４を含む周縁部分のみに設けるものであっても構わない。
【００１８】
このように石膏ボード３の周縁部分に実加工して実部４を形成し、該実部４にシーラー加工を施して化粧シート６を石膏ボード３の表面側から裏面側に至るように貼着しているので、石膏ボード３に実部を形成しながら、化粧シート６により実部４の補強を行え、特に別部材の補強材を用いることなく、実部４の補強が行うことが可能となる。そして実部４により隣り合った調湿建築材８同士に生じるおそれのある段差を目立ちにくくすることができる。
【００１９】
また実部４をあいじゃくり実としたことで、石膏ボード本体１が薄くても実部４を形成することが可能となる。また化粧シート６を石膏ボード３の表面全面を覆うことで、調湿建築材８全体が統一された意匠性を有することになる。
【００２０】
この石膏ボード３は、図２に平面図が示されるように、大きさが縦２５３５ｍｍ、横４５８ｍｍで、厚さが９．５ｍｍの矩形状のものを用いている。また石膏ボード原紙２は石膏ボード本体１を補強するために、同表面及び裏面に全面に亘って接着されるものである。これらを接着する接着剤としては、適宜必要とされるものを選択し用いる。
【００２１】
化粧シート６としては、目付５０ｇ／平方メートルの紙を用いている。これは図１の点線で示されるものである。また、特に実部４のうち、下側に凸のもの（図１における左側の実部）の裏面側に延設される化粧シート６は、実部４を越えて設けられることが望ましい。
【００２２】
ところで実部４には化粧シート６を貼着する前にあらかじめシーラー加工を施している。このことにより、石膏ボード本体１と化粧シート６との接着性が向上し、何も処理することなく石膏ボード本体１と化粧シート６とを貼着する場合に比べ、化粧シート６の密着性が高まり、結果として実部４の補強も高まることになる。
【００２３】
そのためシーラーは実部４のうち石膏が露出する部分（図１の拡大部分における一点鎖線で示される部分：シーラー加工部分５）に塗布すれば良い。
【００２４】
なお、本実施例では図１に示されるように、調湿建築材８の実部４表面側と調湿建築材８の表面側との境界部分に面取り部９を形成している。こうすることで化粧シート６の実部４での密着性が向上し、特に表面側から見たときに化粧シート６の折曲部分がきちんと直線として現れやすくなり、調湿建築材８自体の意匠性も向上する。
【００２５】
実際の施工状態は、図３に示されるように上方から見て、不陸が下地にあったとしても実結合部分で目立ちにくくすることができるので、施工状態で表面側に不陸状態が目立つことを防ぐことができる。特に面取り部９があることで実結合部分での段差がより目立ちにくくなっている。
【００２６】
なお、実部４の厚さは、結合状態で厚さを調湿建築材８の厚さにあわせる必要があること、及び不陸の吸収を達成するため、石膏ボード本体１に実部４を形成する際に、あいじゃくり実の場合には石膏ボード本体１の厚さの１／２以下の厚さにする必要がある。また四周に実部４を形成しても良い。
【００２７】
なお、調湿建築材８の表面側から小孔７が多数設けられているが、図２に点線で示すように（中間部分は省略している）、略全面に亘って小孔７を形成している（一部を拡大し、どのように小孔が形成されるかを示している。）。なお、本実施例では小孔７はφ１ｍｍ、深さ３ｍｍ程度の大きさで、５ｍｍピッチで形成されているので、おおよそ４５６００個の小孔が形成されることになり、約３％強の開口率となる。
【００２８】
もちろん他の形成パターンで小孔７を形成しても良く、開口率は本実施例に限定する必要は全く無い。また小孔７の形状も適宜所望の大きさ形状にすれば良く、本実施例の形状に限定されることは無い。
【００２９】
なお、本発明では壁材としての調湿建築材を例に説明を行ったが、例えば天井材など内装材として用いることも可能である。
【図面の簡単な説明】
【００３０】
【図１】本願発明の実施形態である調湿建築材を示す断面図である。
【図２】同施工状態を示した概略平面図である。
【図３】本願発明の実施形態である調湿建築材を施工した状態を示す概略断面図である。
【図４】従来の実施形態である調湿建築材を施工した状態を示す概略断面図である。
【符号の説明】
【００３１】
１  石膏ボード本体
２  石膏ボード原紙
３  石膏ボード
４  実部
５  シーラー加工部分
６  化粧シート
７  小孔
８  調湿建築材
９  面取り部
１０  下地
【図１】
2005179908.tif 000003
【図２】
2005179908.tif 000004
【図３】
2005179908.tif 000005
【図４】
2005179908.tif 000006